(57)【要約】【課題】後退位置では鏡と鏡台本体とを面一として整然と見栄えよくするとともに、前進位置では無理な姿勢をとることなく顔を大きく映して細かいところまで見ることができる洗面化粧台を提供すること。【解決手段】洗面化粧台の一部に鏡面Ｍを備えた前板１１を配設した洗面化粧台において、前板１１を鏡面が略平行な状態で前後方向に移動可能に鏡台本体１２に支持せしめる。【選択図】　図１
2004065850.tif 000002
【特許請求の範囲】
【請求項１】
洗面化粧台の一部に鏡面を備えた前板を配設した洗面化粧台において、前記前板を鏡面が略平行な状態で前後方向に移動可能に鏡台本体に支持せしめたことを特徴とする洗面化粧台。
【請求項２】
前記前板を左右両側に開くことができるように配設したことを特徴とする請求項１記載の洗面化粧台。
【請求項３】
前板の後に後板を配設し、後板の右側縁部と前板の左側縁部とを各々ヒンジを介して前板と後板の間に配設した第１アームにより接続するとともに、後板の左側縁部と前板の右側縁部とを各々ヒンジを介して前板と後板の間に配設した第２アームにより接続したことを特徴とする請求項２記載の洗面化粧台。
【請求項４】
後板を枠状に形成し、鏡台本体に前面が開口する収納部を設けたことを特徴とする請求項３記載の洗面化粧台。
【発明の詳細な説明】
【０００１】
【発明の属する技術分野】
本発明は、洗面化粧台に関し、特に、鏡を可動式とすることにより、後退位置では鏡と鏡台本体とを面一として整然と見栄えよくするとともに、前進位置では無理な姿勢をとることなく顔を大きく映して細かいところまで見ることができる洗面化粧台に関するものである。
【０００２】
【従来の技術】
洗面化粧台は、大型の固定鏡が中央の奥に固定されており、鏡の手前には所定の奥行きを有する洗面台が設置されている。
このため、使用者が立つ位置から鏡が遠くなり、例えば、コンタクトレンズを装着する際には、使用者が顔を鏡の前まで移動させる必要があり、無理な姿勢をしなければならないという問題があった。
【０００３】
【発明が解決しようとする課題】
本発明は、上記従来の洗面化粧台が有する問題点に鑑み、鏡を可動式とすることにより、後退位置では鏡と鏡台本体とを面一として整然と見栄えよくするとともに、前進位置では無理な姿勢をとることなく顔を大きく映して細かいところまで見ることができる洗面化粧台を提供することを目的とする。
【０００４】
【課題を解決するための手段】
上記目的を達成するため、本発明の洗面化粧台は、洗面化粧台の一部に鏡面を備えた前板を配設した洗面化粧台において、前記前板を鏡面が略平行な状態で前後方向に移動可能に鏡台本体に支持せしめたことを特徴とする。
【０００５】
この洗面化粧台は、前板を鏡面が略平行な状態で前後方向に移動可能に鏡台本体に支持せしめたことから、後退位置では鏡と鏡台本体とを面一として整然と見栄えよくするとともに、前進位置では無理な姿勢をとることなく顔を大きく映して細かいところまで見ることができる。
【０００６】
この場合において、前記前板を左右両側に開くことができるように配設することができる。
【０００７】
これにより、前板の後に収納部を設けた場合など、前板の扉としての操作性を向上させることができ、また、前板の裏面と後板の前面とに鏡面を形成して前板を左右に開くことにより、左右で鏡の角度を変え、洗面化粧台を三面鏡のように使用することができる。
【０００８】
また、前板の後に後板を配設し、後板の右側縁部と前板の左側縁部とを各々ヒンジを介して前板と後板の間に配設した第１アームにより接続するとともに、後板の左側縁部と前板の右側縁部とを各々ヒンジを介して前板と後板の間に配設した第２アームにより接続することができる。
なお、ここでいう前板の左右とは、前板を閉じた状態でのことをいう。
【０００９】
これにより、第１アーム及び第２アームの開き側のヒンジを機能させることによって前板を左右に開けるとともに、各アームによって前板を後板と接続することにより、前板を閉じ位置と開閉動作位置とにのみ拘束し、後板に対する前板の位置を正確に保持せしめて、前板の左右の開閉動作を円滑にすることができる。
【００１０】
この場合、後板を枠状に形成し、鏡台本体に前面が開口する収納部を設けることができる。
【００１１】
これにより、前板の扉としての操作性を向上させて、収納部に対する収納物の取り出しを容易にすることができる。
【００１２】
【発明の実施の形態】
以下、本発明の洗面化粧台の実施の形態を図面に基づいて説明する。
【００１３】
図１〜図５に、本発明の洗面化粧台の一実施例を示す。
この洗面化粧台は、少なくとも前面に鏡面Ｍを備えた前板１１を鏡台本体１２に配設し、この前板１１を鏡面Ｍが略平行な状態で前後方向に移動可能に鏡台本体１２に支持させている。
前板１１は、後述する後板１３を介し、４本のロッド２により鏡台本体１２に支持されており、各ロッド２が鏡台本体１２内を水平方向に摺動して伸縮することにより、前板１１が前後に移動可能になっている。
そして、各ロッド２は、前方への移動距離を大きくできるように、本実施例では、テレスコピック構造のものを使用しているが、単なる管材で構成することもできる。
また、前板１１を鏡面Ｍが略平行な状態で前後方向に移動可能に鏡台本体１２に支持する機構としては、ロッド２のほか、リンク機構等の任意の移動機構を採用することができる。
なお、鏡台本体１２の下に配設される蛇口や洗面台は図では省略されている。
【００１４】
また、この洗面化粧台は、前板１１が左右両側に開けるように、前板１１の後に後板１３が配設されており、図２〜図４に示すように、後板１３の右側縁部１３ａと前板１１の左側縁部１１ｂとが各々ヒンジ３を介して前板１１と後板１３の間に配設した第１アーム４により接続されるとともに、後板１３の左側縁部１３ｂと前板１１の右側縁部１１ａとが各々ヒンジ３を介して前板１１と後板１３の間に配設した第２アーム５により接続されている。
後板１３は枠状に形成され、鏡台本体１２には、前面が開口する収納部６が設けられている。
なお、後板１３を板状に形成し、その前面に鏡面を形成するとともに、この後板１３を鏡台本体１２に開閉可能に取り付けることもできる。
【００１５】
前板１１と後板１３の間に配設した第１アーム４は、図５に示すように、例えば、両端にヒンジ３を備えた、所定の剛性を有するステンレス等の金属板からなり、図２〜図４に示すように、後板１３の右側縁部１３ａと前板１１の左側縁部１１ｂとを、各々両端に配設したヒンジ３を介して接続している。
この第１アーム４は、前板１１又は後板１３の上下に１本ずつ、それぞれ略水平に架設されている。
また、第１アーム４は、両端に一体的に形成されたヒンジ３のみが後板１３と前板１１とにそれぞれ固定されており、アーム４自体は後板１３や前板１１から接離することができる。
【００１６】
前板１１と後板１３の間に配設した第２アーム５は、図５に示すように、例えば、両端にヒンジ３を備えた、所定の剛性を有するステンレス等の金属板からなり、図２〜図４に示すように、後板１３の左側縁部１３ｂと前板１１の右側縁部１１ａとを、各々両端に配設したヒンジ３を介して接続している。
この第２アーム５は、前板１１又は後板１３の上下に１本ずつ、それぞれ略水平に架設されている。
また、第２アーム５は、両端に一体的に形成されたヒンジ３のみが後板１３と前板１１とにそれぞれ固定されており、アーム５自体は後板１３や前板１１から接離することができる。
【００１７】
具体的には、第１アーム４は、前板１１が左に開くときは、図４（ａ）に示すように後板１３に沿った位置に移動し、前板１１が右に開くときは、図４（ｄ）に示すように前板１１に沿った位置に移動する。
一方、第２アーム５は、前板１１が左に開くときは、図４（ｂ）に示すように前板１１に沿った位置に移動し、前板１１が右に開くときは、図４（ｅ）に示すように後板１３に沿った位置に移動する。
これにより、谷折れとなるヒンジ３側で、第１アーム４と第２アーム５が前板１１と後板１３とを相互に支持し合うことができ、その結果、アーム自体が後板１３や前板１１から接離可能な状態であっても、各アーム４、５が前板１１と後板１３とを支持し合うことにより、複数のヒンジ３を同軸の位置に位置決めし、後板１３に対する前板１１の位置を正確に保持して、前板１１の左右の開閉動作を円滑に行うことができる。
【００１８】
このように、第１アームと第２アームを用いて前板１１と後板１３を接続することにより、第１アーム及び第２アームの開き側のヒンジ３を機能させることによって前板１１を左右に開けるとともに、各アームによって前板１１を後板１３と接続することにより、前板１１を閉じ位置と開閉動作位置とにのみ拘束し、後板１３に対する前板１１の位置を正確に保持せしめて、前板１１の左右の開閉動作を円滑にすることができる。
【００１９】
そして、本実施例の洗面化粧台は、前板１１を鏡面Ｍが略平行な状態で前後方向に移動可能に鏡台本体１２に支持せしめたことから、後退位置では鏡と鏡台本体１２とを面一として整然と見栄えよくするとともに、前進位置では無理な姿勢をとることなく顔を大きく映して細かいところまで見ることができる。
また、前記前板１１を左右両側に開くことができるように配設することにより、前板１１の後に収納部６を設けた場合など、前板１１の扉としての操作性を向上させることができ、また、前板１１の裏面と後板１３の前面とに鏡面を形成して前板１１を左右に開くことにより、図４に示すように左右で鏡の角度を変え、洗面化粧台を三面鏡のように使用することができる。
さらに、後板１３を枠状に形成し、鏡台本体１２に前面が開口する収納部６を設けることにより、前板１１の扉としての操作性を向上させて、収納部６に対する収納物の取り出しを容易にすることができる。
【００２０】
以上、本発明の実施例を説明したが、本発明の洗面化粧台は、この実施例の記載に限定されるものではなく、その趣旨を逸脱しない範囲において適宜その構成を変更することが可能である。
【００２１】
【発明の効果】
本発明の洗面化粧台によれば、前板を鏡面が略平行な状態で前後方向に移動可能に鏡台本体に支持せしめたことから、後退位置では鏡と鏡台本体とを面一として整然と見栄えよくするとともに、前進位置では無理な姿勢をとることなく顔を大きく映して細かいところまで見ることができる。
【００２２】
この場合、前記前板を左右両側に開くことができるように配設することにより、前板の後に収納部を設けた場合など、前板の扉としての操作性を向上させることができ、また、前板の裏面と後板の前面とに鏡面を形成して前板を左右に開くことにより、左右で鏡の角度を変え、洗面化粧台を三面鏡のように使用することができる。
【００２３】
また、前板の後に後板を配設し、後板の右側縁部と前板の左側縁部とを各々ヒンジを介して前板と後板の間に配設した第１アームにより接続するとともに、後板の左側縁部と前板の右側縁部とを各々ヒンジを介して前板と後板の間に配設した第２アームにより接続することにより、第１アーム及び第２アームの開き側のヒンジを機能させることによって前板を左右に開けるとともに、各アームによって前板を後板と接続することにより、前板を閉じ位置と開閉動作位置とにのみ拘束し、後板に対する前板の位置を正確に保持せしめて、前板の左右の開閉動作を円滑にすることができる。
【００２４】
この場合、後板を枠状に形成し、鏡台本体に前面が開口する収納部を設けることにより、前板の扉としての操作性を向上させて、収納部に対する収納物の取り出しを容易にすることができる。
【図面の簡単な説明】
【図１】本発明の洗面化粧台の一実施例を示す斜視図である。
【図２】前板を左に開いた状態を示す斜視図である。
【図３】前板を右に開いた状態を示す斜視図である。
【図４】前板を開いた状態を示し、（ａ）は前板を左に開いた状態の第１アームを示す断面図、（ｂ）は前板を左に開いた状態の第２アームを示す断面図、（ｃ）は前板を閉じて後退させた状態を示す断面図、（ｄ）は前板を右に開いた状態の第１アームを示す断面図、（ｅ）は前板を右に開いた状態の第２アームを示す断面図である。
【図５】アームとヒンジの平面図である。
【符号の説明】
１１　前板
１１ａ　右側縁部
１１ｂ　左側縁部
１２　鏡台本体
１３　後板
１３ａ　右側縁部
１３ｂ　左側縁部
２　　ロッド
３　　ヒンジ
４　　第１アーム
５　　第２アーム
６　　収納部
Ｍ　　鏡面
【図１】
2004065850.tif 000003
【図２】
2004065850.tif 000004
【図３】
2004065850.tif 000005
【図４】
2004065850.tif 000006
【図５】
2004065850.tif 000007